(57)【要約】【課題】低粘着性の粘着テープや高粘着性の粘着テープなど、その種類を問わずに速やか、かつ、正確に装置内部に装填することのできる粘着テープ切断装置を提供する。【解決手段】引出しローラ３の周面に臨むテープ装填用開口１３をケース１に形成し、このテープ装填用開口１３からテープリールＴＲを装填する。引出しローラ３の頂点を起点に周面に近接した位置と、ケース内に形成されたテープ案内径路の始端に亘って配備したテープ装填ガイド２５と引出しローラ３との空隙ｃに粘着テープＴの先端部ｔを差し入れる。【選択図】図３
2008265929.tif 000002
【特許請求の範囲】
【請求項１】
テープリールから引出しローラによって引き出された粘着テープを、送り出しローラとこれに対向して配備された押さえローラとの間に導き、送り出しローラで送られた粘着テープをケースに設けたテープ排出口から送り出すとともに、送り出しローラの下手に配備された切断機構によって粘着テープを切断するよう構成した粘着テープ切断装置において、
前記引出しローラの周面に臨むテープ装填用開口をケースに形成し、引出しローラの頂点を起点に周面に近接した位置と、ケース内に形成されたテープ案内径路の始端に亘ってテープ装填ガイドを配備した
ことを特徴とする粘着テープ切断装置。
【請求項２】
請求項１に記載の粘着テープ切断装置において、
前記テープ装填ガイドに、前記テープ案内径路の始端箇所に向けて片持ち状に延出された弾性変形可能なガイド片を備えた
ことを特徴とする粘着テープ切断装置。
【請求項３】
請求項１または請求項２に記載の粘着テープ切断装置において、
前記テープ装填ガイドを前記ケースに脱着自在に構成した
ことを特徴とする粘着テープ切断装置。
【請求項４】
請求項１ないし請求項３のいずれかに記載の粘着テープ切断装置において、
前記テープ装填ガイドを透視可能に構成した
ことを特徴とする粘着テープ切断装置。
【発明の詳細な説明】
【技術分野】
【０００１】
本発明は、テープリールから引き出された粘着テープを所望の長さ寸法に切断してゆく粘着テープ切断装置に関する。
【背景技術】
【０００２】
上記粘着テープ切断装置としては、例えば、特許文献１に開示されているように、テープリールから引き出された粘着テープを所定の径路に沿ってローラ送りしてテープ排出口から送り出すとともに、切断機構によって粘着テープを所望の長さで切断するよう構成したものが知られている。
【０００３】
また、図６に示すように、テープリーＴＲから引出しローラ３によって引き出された粘着テープＴを、送り出しローラ４とこれに対向して配備された押さえローラ５との間に導き、送り出しローラ４で送られた粘着テープＴをケース１の前面に設けたテープ排出口２から送り出すとともに、送り出しローラ４の下手に配備された切断機構１０によって粘着テープＴを切断するよう構成したものが実用化されている。
【特許文献１】特開２００６−１０３８０８号公報
【発明の開示】
【発明が解決しようとする課題】
【０００４】
図６に示される粘着テープ切断装置にあっては、最初に粘着テープＴを装填する場合、ケース１の上部に形成されたテープ装填用開口１３において、テープリールＴＲから粘着テープＴをその粘着面が下向きになるように引出し、引き出した粘着テープＴの先端部ｔを手作業で引出しローラ３の周面に軽く貼付ける。この状態でローラ駆動を開始することで引出しローラ３に貼付けられた粘着テープＴをケース内のテープ案内径路に送り込み、送り出しローラ４と押さえローラ５との間にくわえ込ませる操作を行う。
【０００５】
この場合、粘着テープＴの粘着性がある程度高いものにおいては、粘着テープＴが引出しローラ３に適度に貼り付くので、ローラ駆動に伴って粘着テープＴの先端部ｔをテープ案内径路に送り込んでゆくことができる。しかしながら、低粘着性の粘着テープＴ、例えば、携帯電話や各種の家電機器の液晶表示面の保護に貼り付けられる粘着テープは引出しローラ３への貼付け力が弱いので、ローラ駆動によって粘着テープＴをテープ案内径路に送り込む際に、テープ先端部ｔがローラ周面から浮き上がってテープ案内径路を構成するテープガイド６に引っ掛かってしまうことがある。したがって、テープ装填操作をやり直さなければならないといった不都合がある。
【０００６】
本発明はこのような事情に鑑みてなされたものであって、粘着テープの種類を問わずに、確実に粘着テープを装填することのできる粘着テープ切断装置を提供することを主たる目的としている。
【課題を解決するための手段】
【０００７】
この発明は、上記目的を達成するために次のような構成をとる。
【０００８】
すなわち、第１の発明は、テープリールから引出しローラによって引き出された粘着テープを、送り出しローラとこれに対向して配備された押さえローラとの間に導き、送り出しローラで送られた粘着テープをケースに設けたテープ排出口から送り出すとともに、送り出しローラの下手に配備された切断機構によって粘着テープを切断するよう構成した粘着テープ切断装置において、
前記引出しローラの周面に臨むテープ装填用開口をケースに形成し、引出しローラの頂点を起点に周面に近接した位置と、ケース内に形成されたテープ案内径路の始端に亘ってテープ装填ガイドを配備したことを特徴とする。
【０００９】
（作用・効果）  この構成によれば、低粘着性の粘着テープを装填する場合、引出しローラの周面に押さえつけた粘着テープの先端がローラ周面から浮き上がりかけても、テープ装填ガイドの案内作用で粘着テープの先端をテープ案内径路に円滑に送り込むことができる。
【００１０】
また、テープ装填ガイドが引出しローラの周面に近く配備されるので、薄くて腰の弱い粘着テープでもテープ装填ガイドに沿わせて差し入れ、引出しローラの周面に適正な姿勢で導くことができる。
【００１１】
第２の発明は、第１の発明において、
前記テープ装填ガイドに、前記テープ案内径路の始端箇所に向けて片持ち状に延出された弾性変形可能なガイド片を備えたことを特徴とする。
【００１２】
（作用・効果）  この構成によれば、テープガイドに備えた片持ち状のガイド片を引出しローラの周面に適度に弾性接触させて設置することができる。すなわち、ガイド片と引出しローラの周面との間に差し込んだ粘着テープ部が、引出しローラの周面に適度に貼り付けられる。したがって、ロール駆動に伴うテープ引出しを的確に行うことができる。
【００１３】
第３の発明は、第１または第２の発明において、
前記テー装填ガイドを前記ケースに脱着自在に構成したことを特徴とする。
【００１４】
（作用・効果）  この構成によれば、テープ浮き上がりの発生するおそれのない高粘着性の粘着テープを使用する場合には、テープ装填ガイドを取外してテープ装填用開口を広く開けておくことができる。したがって、テープ装填操作を容易に行うことができる。
【００１５】
第４の発明は、第１ないし第３のいずれかの発明において、
前記テープ装填ガイド透視可能に構成したことを特徴とする。
【００１６】
（作用・効果）  この構成によれば、差し入れた粘着テープの先端部をテープ装填ガイドを通して見ることができる。したがって、粘着テープの先端位置や幅方向位置を視認しながら適正に装填操作を行うことができる。
【発明の効果】
【００１７】
本発明によれば、低粘着性の粘着テープなどの種類を問わず、やり直しの必要なく粘着テープを速やかに装填することができる。
【発明を実施するための最良の形態】
【００１８】
以下、図面を参照して本発明の一実施例を説明する。
【００１９】
図１は、本発明に係る粘着テープ切断装置の全体外観が示されている。
【００２０】
この粘着テープ切断装置は卓上型に構成されており、ケース１の後部に粘着テープＴをボビン巻きしたテープリールＴＲが横向き軸心状態で装着されている。このテープリールＴＲから前方に引き出された粘着テープＴは、ケース内のテープ案内径路を通ってケース前方に導かれ、所望長さに切断されてケース前面のテープ排出口２から送り出されるように構成されている。
【００２１】
図２に示すように、ケース１の内部には、引出しローラ３、その前方下方に位置する送り出しローラ４、および、送り出しロー４に上方から対向する押さえローラ５がそれぞれ平行に軸支されるとともに、テープ案内径路を形成する板バネ製のテープガイド６が設けられている。また、ケース１の前面にはテープ排出口２を備えたテープ切断ユニット７が装備されている。
【００２２】
図４に示すように、引出しローラ３は、外周に多数の凹凸が周方向小ピッチで形成された金属製のディスク３ａを軸心方向に小間隔をもって多数並列装備して構成されている。つまり、テープリールＴＲから粘着面を下向きにして引き出された粘着テープＴが、その外周面に軽く貼付けられた状態で回転することにより粘着テープＴが前方に引き出されるようになっている。
【００２３】
送り出しローラ４は、外周に多数の凹凸が周方向小ピッチで形成された難接着性の硬質樹脂材からなるディスク４ａを軸心方向に小間隔をもって多数並列装備して構成されている。
【００２４】
押さえローラ５は、送り出しローラ４の各ディスク４ａの間に入り込む算盤珠状のローラ部５ａを並列形成した金属ローラで構成されており、粘着面を下向きにして引出しローラ３から送られてきた粘着テープＴを送り出しローラ４と押さえローラ５との間に波打ち状態で挟み込んでスリップなく前方に送り出すよう構成されている。
【００２５】
テープ切断ユニット７はケース１に取り外し可能に装着されている。テープ切断ユニット７の内部には固定された上刃８と上下駆動される下刃９とを備えた切断機構１０が組み込まれており、取外したテープ切断ユニット７の裏面側から切断機構１０の清掃や上刃８および下刃９の交換を行うことができるように構成されている。テープ排出口２の下方には送り出されて垂れ下がった粘着テープＴを受け止めて浮かす密着防止ガイド１１が設けられている。また、下刃９と密着防止ガイド１１との間の隙間を埋めるシリコン樹脂製のスペーサ１２が設けられ、送り出されてきた粘着テープＴが隙間に引っ掛かって詰まることが防止されている。なお、スペーサ１２は、間隙全面を覆うものであってもよいし、粘着テープＴの搬送経路上の一部分のみを覆う形状ものであってもよい。
【００２６】
図１に示すように、ケース１の背面には図示されていない電源スイッチが備えられるとともに、ケース１の上面にはテープ装填用開口１３が形成されている。その横側には操作部１４が設けられている。また、テープ装填用開口１３の前方にはテープ押し付け力調節用のプレッシャーつまみ１５が配備されている。
【００２７】
操作部１４には、液晶表示部１６、２つのサイズ設定キー１７，１８、リセットキー１９、送りキー２０、リバースキー２１、カットキー２２、およびオートキー２３が備えられている。液晶表示部１６は、自動切断長さをｍｍ単位表示を最大３（９９９ｍｍ）まで表示することができる。サイズ設定キー１７，１８は自動切断長さをｍｍ単位で設定するものであり、右方のサイズ設定キー１７でｍｍの単位１桁（０〜９ｍｍ）を設定することができ、左方のサイズ設定キー１８でｃｍの単位２桁（２〜９９ｃｍ）を設定することができるようになっている。リセットキー１９を押すと、設定長さが予め入力設定されている基準長さ（例えば２０ｍｍ）に戻される。送りキー２０は、押している間だけローラ類が正転駆動されてテープ送り出しが行われる。リバースキー２１は、押している間だけローラ類が逆転駆動されるものであり。テープ交換などの際に使用される。カットキー２２は、押すことでテープ切断機構が作動する。オートキー２３を押すと自動切断モードとなり、表示された設定長さでテープ送りがなされて自動的に切断される。
【００２８】
プレッシャーつまみ１５は、押さえローラ５を上下に位置調節し送り出しローラ４への食い込み量を加減し、送り出しローラ４へのテープ押し付け力を調節するものであり、粘着テープＴの種類に応じて調節する。例えば、セロハンテープ、クラフト粘着テープ、布粘着テープ、ＰＰテープなどでは、プレッシャーつまみを１５右に回して押し付け力を強くし、片面剥離紙付きの両面テープ、フィラメントテープ、クレープテープなどでは、プレッシャーつまみ１５を左に回して押し付け力を弱く設定する。
【００２９】
ケース上面に形成されたテープ装填用開口１３の前縁にテープ装填ガイド２５が脱着可能に係止装着されている。このテープ装填ガイド２５を形成する材料は限定されるものではなく、金属、プラスチック、および樹脂成形品などが適用できる。本実施例では、図５に示すように、透明樹脂製の板材を屈曲形成して形成されており、ケース上面に載置されて係止凹部２６を介してプレッシャーつまみ１５に係止される上片２５ａと、ケース内に入り込む前向き片持ち状のガイド片２５ｂが備えられている。
【００３０】
テープ装填ガイド２５の屈曲端部が引出しローラ３の上面に接近されて、図２に示すように、この屈曲端部と引出しローラ３の上面との間に、奥狭まりの空隙ｃが形成されている。ガイド片２５ｂは引出しローラ３の周面に近接、あるいは、弾性接触されるとともに、ガイド片２５ｂの先端はテープガイド６で形成されたテープ案内径路の始端上側に位置されており、引出しローラ３で送られてきた粘着テープＴの先端部ｔがローラ周面から浮き上がりかけても、テープガイド６に引っ掛かることなくテープ案内径路に導かれる。
【００３１】
したがって、粘着テープＴを最初に装填する場合、図３に示すように、粘着テープＴの先端部ｔを前記奥狭まりの空隙ｃに差し入れるだけで、テープ先端部ｔを全幅に亘って適正に引出しローラ３の上面に導くことができる。この場合、テープ装填ガイド２５は透明であるので、差し入れた粘着テープＴを上方から透視して、テープ先端位置や幅方向位置を視認しながらテープ装填を行うことができる。また、ローラ駆動によってテープ送りを行うと、テープ装填ガイド２５のガイド片２５ｂおよびテープガイド６を介してテープ先端部ｔを送り出しローラ４と押さえローラ５とのくわえ込み箇所に円滑に導くことができる。
【００３２】
なお、テープ装填ガイド２５は、引出しローラ３から粘着テープ先端が浮き上がりやすい低粘着性の粘着テープＴを扱う場合に有効であり、引出しローラ３から粘着テープ先端が浮き上がるおそれのない高粘着性の粘着面を備えた粘着テープＴを扱う場合には、テープ装填ガイド２５を取外してテープ装填用開口１３を大きく開けてテープ装填操作を行うこともできる。
【００３３】
〔別実施例〕
本発明は、以下のような形態で実施することもできる。
【００３４】
（１）上記実施例装置のテープ装填ガイド２５を、ケース１の上壁にネジ止め、接着、嵌め込みなどの適宜手段によって固着してもよい。
【００３５】
（２）上記実施例装置のテープ装填ガイド２５を、ケース１の上壁内面に一体形成することも可能である。
【００３６】
（３）上記実施例装置のテープ装填ガイド２５を、板バネ材で形成して、そのガイド片２５ｂを引出しローラ３の周面に軽く弾性接触させる状態で装着することもできる。この場合、テープ装填ガイド２５に前後方向に長い多数のスリットや切り込みを左右に並列形成しておくと、差し入れた粘着テープＴの先端部ｔを透視することができ、テープ装填操作が容易となる。
【００３７】
（４）上記実施例装置のテープ装填ガイド２５は、ケース上面に着脱自在な構成以外にネジによる固定や接着剤による固定、または嵌め込み式で固定できるように構成してもよい。
【図面の簡単な説明】
【００３８】
【図１】粘着テープ切断装置の外観斜視図である。
【図２】テープ送り出し状態を示す要部の縦断側面図である。
【図３】テープ装填状態を示す要部の縦断側面図である。
【図４】要部の平面図である。
【図５】テープ装填ガイドの斜視図である。
【図６】従来例におけるテープ装填状態を示す要部の縦断側面図である。
【符号の説明】
【００３９】
１  …  ケース
２  …  テープ排出口
３  …  引出しローラ
４  …  送り出しローラ
５  …  押さえローラ
１３  …  テープ装填用開口
２５  …  テープ装填ガイド
２５ｂ…  ガイド片
Ｔ  …  粘着テープ
ＴＲ  …  テープリール
【図１】
2008265929.tif 000003
【図２】
2008265929.tif 000004
【図３】
2008265929.tif 000005
【図４】
2008265929.tif 000006
【図５】
2008265929.tif 000007
【図６】
2008265929.tif 000008